(57)【要約】【課題】簡単な構成で室内機から吹き出す空気の清浄化を図ることができる空気調和システムを提供すること。【解決手段】ビル２００内の各部屋２０１の天井部に配置され、筐体内に送風機と室内熱交換器とを収容した室内機２を複数備え、これら室内機２を、屋外空気ＯＡもしくは室内空気ＲＡの少なくとも一方を当該室内機２に供給するメイン給気ダクト３に並列に接続し、このメイン給気ダクト３は室内機２の風上にチャンバ６０を備え、このチャンバ６０内に、水を電気分解して生成した電解水と屋外空気ＯＡもしくは室内空気ＲＡの少なくとも一方とを接触させて当該空気を除菌する空気除菌部７０を設けた。【選択図】図１
2010019479.tif 000002
【特許請求の範囲】
【請求項１】
建屋の天井部に配置され、筐体内に送風機と熱交換器とを収容した室内機を複数備え、これら室内機を、屋外空気もしくは室内空気の少なくとも一方を当該室内機に供給する給気ダクトに並列に接続し、この給気ダクトは、前記室内機の風上にチャンバを備え、このチャンバ内に、水を電気分解して生成した電解水と前記屋外空気もしくは室内空気の少なくとも一方とを接触させて当該空気を除菌する空気除菌部を設けたことを特徴とする空気調和システム。
【請求項２】
前記室内機は、前記除菌された空気を前記筐体内における前記熱交換器の一次側に導く構成を備え、前記熱交換器により当該空気を熱交換した後に室内空間に吹き出すことを特徴とする請求項１に記載の空気調和システム。
【請求項３】
水を電気分解して前記電解水を生成する電解水生成部と、前記電解水を貯留する水槽と、この水槽内の電解水を前記空気除菌部に送る送水ポンプとを備え、これらを前記空気除菌部の下方に位置する室内に配置したことを特徴とする請求項１または２に記載の空気調和システム。
【請求項４】
前記電解水生成部、前記水槽及び前記送水ポンプを１つの箱体に収容し、この箱体を前記室内の床上に載置したことを特徴とする請求項３に記載の空気調和システム。
【請求項５】
前記空気除菌部は、水平面に対して傾斜して配設された気液接触部材を備えたことを特徴とする請求項１乃至４のいずれかに記載の空気調和システム。
【請求項６】
前記室内機と前記給気ダクトとを接続する分岐ダクトを備え、この分岐ダクトにそれぞれファンを備え、これらファンの動作を当該分岐ダクトに対応する前記室内機の送風機と連動させたことを特徴とする請求項１乃至５のいずれかに記載の空気調和システム。
【発明の詳細な説明】
【技術分野】
【０００１】
本発明は、空中浮遊微生物（細菌、ウイルス、真菌（以下、単に「ウイルス等」という。））の除去が可能な空気調和システムに関する。
【背景技術】
【０００２】
近年、オフィスなどの大空間では空気の清浄化（除菌）を行うことが要望されている。これを解決するために、天井部に配置された室内機の筐体内に電解水と空気とを接触させて当該空気を除菌する除菌ユニットを設けた空気調和装置が出願人によって提案されている（例えば、特許文献１参照）。
【特許文献１】特開２００８-０５１４２４号公報
【発明の開示】
【発明が解決しようとする課題】
【０００３】
ところで、従来のものは、室内機ごとに一もしくは複数の除菌ユニットを備えるため、オフィスビルなどの１フロアに多数の室内機を備える大空間では構成が煩雑となる傾向にあった。
そこで、本発明の目的は、簡単な構成で室内機から吹き出す空気の清浄化を図ることができる空気調和システムを提供することにある。
【課題を解決するための手段】
【０００４】
上記した課題を解決するため、本発明は、建屋の天井部に配置され、筐体内に送風機と熱交換器とを収容した室内機を複数備え、これら室内機を、屋外空気もしくは室内空気の少なくとも一方を当該室内機に供給する給気ダクトに並列に接続し、この給気ダクトは、前記室内機の風上にチャンバを備え、このチャンバ内に、水を電気分解して生成した電解水と前記屋外空気もしくは室内空気の少なくとも一方とを接触させて当該空気を除菌する空気除菌部を設けたことを特徴とする。
この構成によれば、空気除菌部を通過する屋外空気もしくは室内空気の少なくとも一方を集中して除菌することができ、この除菌した空気を給気ダクトを介して各室内機に供給することができる。従って、簡単な構成で室内機から吹き出す空気の清浄化を図ることができる。また、給気ダクトに設けたチャンバ内に空気除菌部を設けたため、この空気除菌部で清浄化および除菌された同質の空気を同時に各室内機に供給することができる。
【０００５】
この構成において、前記室内機は、前記除菌された空気を前記筐体内における前記熱交換器の一次側に導く構成を備え、前記熱交換器により当該空気を熱交換した後に室内空間に吹き出す構成としても良い。この構成によれば、除菌された空気は熱交換器により熱交換された後に室内空間に吹き出されるため、除菌された空気の供給に伴う室温の変動を抑制することができる。
【０００６】
また、水を電気分解して前記電解水を生成する電解水生成部と、前記電解水を貯留する水槽と、この水槽内の電解水を前記空気除菌部に送る送水ポンプとを備え、これらを前記空気除菌部の下方に位置する室内に配置した構成としても良い。この構成によれば、水が循環する電解水生成部、水槽及び送水ポンプがいずれも室内空間に配置されるため、これら各機器のメンテナンスを容易に行うことができる。さらに、これらの各機器は空気除菌部の下方に配置されているため、当該各機器と空気除菌部との距離を短くすることができ、これらを接続する配管の引き回し作業を容易に行うことができる。
【０００７】
また、前記電解水生成部、前記水槽及び前記送水ポンプを１つの箱体に収容し、この箱体を前記室内の床上に載置した構成としても良い。この構成によれば、電解水生成部、水槽及び送水ポンプをコンパクトに配置することができるとともに、各機器のメンテナンスを一層容易に行うことができる。
【０００８】
また、前記空気除菌部は、水平面に対して傾斜して配設された気液接触部材を備えた構成としても良い。チャンバの開口面積に対して気液接触部材における空気と電解水との接触面積を大きく確保することができ、当該空気の除菌効率を高めることができる。
【０００９】
また、前記室内機と前記給気ダクトとを接続する分岐ダクトを備え、この分岐ダクトにそれぞれファンを備え、これらファンの動作を当該分岐ダクトに対応する前記室内機の送風機と連動させた構成としても良い。この構成によれば、例えば、室内機がサーモオフ状態にある場合には、送風機の停止動作に連動してファンの運転が停止され、室内機がサーモオンした場合には、送風機の運転動作に連動してファンの運転が開始される。このため、各室内機に除菌された空気を供給するか否かの制御を容易に行うことができる。
【発明の効果】
【００１０】
本発明によれば、空気除菌部を通過する屋外空気もしくは室内空気の少なくとも一方を集中して除菌することができ、この除菌した空気を給気ダクトを介して各室内機に供給することができる。従って、簡単な構成で室内機から吹き出す空気の清浄化を図ることができる。また、給気ダクトに設けたチャンバ内に空気除菌部を設けたため、この空気除菌部で清浄化および除菌された同質の空気を同時に各室内機に供給することができる。
【発明を実施するための最良の形態】
【００１１】
以下、図面を参照して本発明の一実施の形態について説明する。
図１は、ビル２００（建屋）等を冷暖房する空気調和システム１００の概略構成を示す斜視図であり、図２は、空気調和システム１００の配管構成図である。空気調和システム１００は、図１に示すように、ビル２００に設けられる室外機１と、この室外機１に並列に接続され、ビル２００内の各部屋２０１の天井部に配置される複数台（本実施形態では３台）の室内機２と、これら室内機２にメイン給気ダクト（給気ダクト）３を介して接続される空気除菌装置１５０とを備えて構成されている。
室外機１は、例えばビル２００の屋上やビル２００内に形成される機械室等に配置されるものであり、冷媒配管１０を介して各室内機２に接続されている。具体的には、図２に示すように、室外機１は、冷媒配管１０に設けられた圧縮機１１を備え、この圧縮機１１の吸込側に、アキュムレータ１２が接続され、その吐出側には四方弁１３と室外熱交換器１４と電動膨張弁１５とが順に接続されている。また、室外機１には、室外熱交換器１４へ向かって送風する室外送風機１６が配設されている。
一方、室内機２は、上記冷媒配管１０を介して電動膨張弁１５に接続される室内熱交換器２１と、この室内熱交換器２１へ向かって送風する送風機２２とを備えて構成され、当該室内熱交換器２１は、冷媒配管１０を介して上記四方弁１３に接続されている。
【００１２】
冷房運転時には、図２に示す実線矢印の方向に冷媒が流れるように、四方弁１３が切り換えられる。圧縮機１１から吐出された高圧の冷媒は、アキュムレータ１２を経て室外熱交換器１４に達し、この室外熱交換器１４において凝縮されて電動膨張弁１５に送られる。この高圧の冷媒は電動膨張弁１５で膨張して室内熱交換器２１に流入し、この室内熱交換器２１において蒸発することにより、室内機２内に導入された空気を冷却する。室内熱交換器２１で蒸発した冷媒は圧縮機１１の吸込側に戻る。
また、暖房運転時には、図中に示す破線矢印の方向に冷媒が流れるように、四方弁１３が切り換えられる。圧縮機１１から吐出された高圧の冷媒は、室内熱交換器２１に送られ、この室内熱交換器２１において凝縮することにより、室内機２内に導入された空気を加温する。室内熱交換器２１で凝縮した冷媒は、電動膨張弁１５で膨張して室外熱交換器１４に流入し、この室外熱交換器１４で蒸発した後、四方弁１３を介してアキュムレータ１２に送られ、圧縮機１１の吸込側に戻る。
【００１３】
メイン給気ダクト３はビル２００の天井裏空間に配設されている。このメイン給気ダクト３には分岐ダクト４がそれぞれ接続され、これら各分岐ダクト４に室内機２が接続されている。すなわち、各室内機２は、分岐ダクト４を介してメイン給気ダクト３に並列に接続される。また、メイン給気ダクト３には、室内機２の風上（上流側）に上記した空気除菌装置１５０が接続される。この空気除菌装置１５０は、後述するように水を電気分解して生成される電解水に浸潤される気液接触部材７１（図４）を備え、この気液接触部材７１にてメイン給気ダクト３を通じる空気と電解水とを接触させることにより、当該空気を除菌するものである。
本構成では、メイン給気ダクト３は空気除菌装置１５０の風上に給気ファン６５（図４）を備え、この給気ファン６５の風上で２つの給気ダクト３Ａ、３Ｂに分岐している。一方の給気ダクト３Ａはビル２００の外壁に形成されて上記給気ファンの運転により屋外空気（外気）ＯＡの導入を行う給気口５に接続されている。また、他方の給気ダクト３Ｂは、ビル２００内の空間（例えば廊下）に配置されて上記給気ファンの運転により、当該ビル２００内の室内空気（内気）ＲＡを当該給気ダクト３Ｂ内に導くための給気用グリル６に接続されている。本実施形態では、給気用グリル６は、ビル２００内の廊下２０２に位置する天井部に配設しているが、これに限るものではなく、給気用グリル６を各部屋２０１の天井部に設け、これらを給気ダクト３Ｂで接続する構成としてもよい。
【００１４】
また、本実施形態では、喫煙室２０３やトイレ２０４等の天井部には、排気用グリル７が設けられ、この排気用グリル７は、排気ダクト８を介して、ビル２００の外壁に形成された排気口９に接続されている。排気ダクト８は排気ファン（不図示）を備え、この排気ファンが運転されると、各部屋２０１内の空気はドアの隙間などを通じて喫煙室２０３やトイレ２０４に向かって流通し、上記排気口９を通じて外部に排出される。これら排気口９から排出される排気量は、上記給気口５から供給される給気量と略同等となるように各給気ファン及び排気ファンの運転が制御される。これにより、ビル２００内の室内空間の換気が実現される。
【００１５】
次に、室内機２の構成について説明する。
本実施形態の室内機２は、いわゆる「４方向カセット」と呼ばれる天井埋込型の室内機である。この室内機２は、図３に示すように、吊りボルト２７で天井裏空間２８に吊り下げられた室内機本体２３と、天井２４に設けられて室内に露出される化粧パネル２５と、この化粧パネル２５と室内機本体２３との間に配置される給気チャンバ２６とを備えて構成されている。
【００１６】
室内機本体２３は、上記した室内熱交換器２１や送風機２２等を収容する筐体２９を備え、この筐体２９は、室内側の面（図３では下側の面）が開口した箱形に形成されている。送風機２２は、筐体２９の略中央に取付具３０を介して固定されているモータ３１と、このモータ３１によって駆動されるファン（ターボファン）３２とを備え、このファン３２を取り囲むように室内熱交換器２１が配置されている。この室内熱交換器２１の下方には当該室内熱交換器２１から流下するドレン水を受けるドレンパン３３が配置され、このドレンパン３３の中央部には通風路３４が形成されている。
また、ドレンパン３３の下面には吸込板３５が取り付けられ、この吸込板３５にはオリフィス３６が形成されている。このオリフィス３６の下方には本体吸込口３８が形成されており、この本体吸込口３８は、オリフィス３６を通じてファン３７の吸込口と連通している。また、筐体２９の内壁面と室内熱交換器２１及びドレンパン３３との間には空気吹出口３９が形成されている。なお、符号４０は、筐体２９の内壁面に貼付された断熱材である。
【００１７】
化粧パネル２５は略正方形に形成されており、図３に示すように、その略中央に吸込グリル４１を備え、この吸込グリル４１のまわりには化粧パネル２５の四辺に沿ってそれぞれ吹出口４２が設けられ、この吹出口４２には風向変更羽根４３が配置されている。また、吸込グリル４１の裏側にはプレフィルタ４４が配置されている。
【００１８】
室内機本体２３と化粧パネル２５との間に配置された給気チャンバ２６には中性能フィルタ４５が設けられた吸込空間（通風路）４６と、この吸込空間４６の外側に設けられた４つの吐出空間４７とが形成されている。本構成では、上記吸込空間４６によって室内機本体２３の本体吸込口３８と化粧パネル２５の吸込グリル４１とが連通され、吐出空間４７によって室内機本体２３の空気吹出口３９と化粧パネル２５の吹出口４２とが連通される。
また、給気チャンバ２６はダクト接続部４８を備え、このダクト接続部４８には上記した分岐ダクト４が接続される。この分岐ダクト４はブースタファン装置４９を備え、このブースタファン装置４９には、入口側に配置されるフィルタ５０とブースタファン（ファン）５１とが収納されている。このブースタファン５１は、上記した給気ファン６５を補助するとともに、その運転によってメイン給気ダクト３を流れる空気を室内機２へ送り込むものである。ブースタファン５１は、室内機２の送風機２２と連動するように構成され、例えば、室内機２がサーモオフ状態にある場合には、送風機２２の停止動作に連動してブースタファン５１の運転が停止され、室内機２がサーモオンした場合には、送風機２２の運転動作に連動してブースタファン５１の運転が開始される。
【００１９】
ダクト接続部４８は給気チャンバ２６の側部を貫通し、このダクト接続部４８の出口部４８Ａは給気チャンバ２６の吸込空間４６、すなわち室内熱交換器２１の一次側空間に臨んでいる。このため、ブースタファン５１の運転により吸込空間４６に流入した空気は、この吸込空間４６で吸込グリル４１を通過した室内空気ＲＡと合流し、送風機２２より室内熱交換器２１に送られ、この室内熱交換器２１で熱交換された後に吹出口４２から室内に吹き出される。
また、本構成では、ダクト接続部４８の出口部４８Ａは、この出口部４８Ａの開口方向が送風機２２のファン３７の回転方向と一致するように設けられている。これによれば、ファン３７の回転による空気の流れがダクト接続部４８から吸込空間４６への通風を阻害することはなく、この分岐ダクト４から流出する空気はスムーズに室内空気ＲＡとともにオリフィス３６へ流れ込む。
【００２０】
次に、空気除菌装置１５０の各構成について説明する。
空気除菌装置１５０は、図４に示すように、天井裏空間２８内でメイン給気ダクト３に設けられた空気除菌部７０と、この空気除菌部７０の下方に位置する室内空間で当該空気除菌部７０に電解水を循環供給する電解水循環供給部８０とを備えて構成されている。具体的には、メイン給気ダクト３は、各室内機２よりも上流側に当該メイン給気ダクト３よりも拡径して形成されるとともに吊りボルト６１で天井裏空間２８に吊り下げられたチャンバ６０を備え、このチャンバ６０内に空気除菌部７０が収容されている。
本構成では、メイン給気ダクト３、チャンバ６０及び空気除菌部７０はすべて天井裏空間２８に配置されるため、これらメイン給気ダクト３、チャンバ６０及び空気除菌部７０をユーザが視認することはない。このため、空気調和システム１００の見栄えが向上する。
【００２１】
空気除菌部７０は、チャンバ６０の開口のほぼ全面を覆って設けられる平板状の気液接触部材７１と、この気液接触部材７１の下方に当該気液接触部材７１から流下する水を受ける水受皿７２とを備える。気液接触部材７１は、チャンバ６０を介してメイン給気ダクト３を通過する空気と電解水とを接触させるための部材であり、当該気液接触部材７１において空気が所定の活性酸素種を含む電解水に接触することにより、空気中に含まれるウイルス等が不活化されて空気の除菌が行われる。
【００２２】
気液接触部材７１は、その上端部が空気の流れの上流側にあたるチャンバ６０の内壁上面に当接し、この当接する位置を基点として、空気の流れの下流側に所定の角度だけ水平面に対し傾いて取り付けられている。この気液接触部材７１の下端部とチャンバ６０の内壁下面との間には若干の間隔が空いている。ここで、空気除菌装置１５０の運転中は、水受皿７２には気液接触部材７１から流下した電解水が貯留され、この電解水が気液接触部材７１の下端まで達するため、チャンバ６０に流入した空気が通過できる風路は気液接触部材７１のみとなる。すなわち、給気口５から吸い込まれた屋外空気ＯＡ及び給気用グリル６から吸い込まれた室内空気ＲＡは、すべて気液接触部材７１を通過するため、当該空気の除菌効率を高めることができる。
また、本実施形態では、気液接触部材７１は、チャンバ６０内で所定の角度だけ水平面に対し傾けて配置しているため、チャンバ６０の開口面積に対して気液接触部材７１における空気と電解水との接触面積を大きく確保することができ、当該空気の除菌効率を高めることができる。
【００２３】
気液接触部材７１は、ハニカム構造に似た３次元構造を持ったフィルタ部材であり、気体に接触するエレメント部をフレームにより支持する構造を有する。エレメント部は、図示を省略するが、波板状の波板部材と平板状の平板部材とが積層されて構成され、これら波板部材と平板部材との間に略三角状の多数の開口が形成されている。従って、エレメント部に空気を通過させる際の気体接触面積が広く確保され、電解水の滴下が可能で、目詰まりしにくい構造になっている。
エレメント部には、電解水による劣化が少ない素材、例えば、ポリオレフィン系樹脂（ポリエチレン樹脂、ポリプロピレン樹脂等）、ＰＥＴ（ポリエチレン・テレフタレート）樹脂、塩化ビニル樹脂、フッ素系樹脂（ＰＴＦＥ、ＰＦＡ、ＥＴＦＥ等）又はセラミックス系材料等の素材が使用され、本構成では、ＰＥＴ樹脂を用いるものとする。また、エレメント部には親水性処理が施され、電解水に対する親和性が高められており、これによって、気液接触部材７１の電解水の保水性（湿潤性）が保たれ、後述する活性酸素種（活性酸素物質）と空気との接触が長時間持続される。
【００２４】
気液接触部材７１の上部には、この気液接触部材７１のエレメント部に均一に電解水を分散させるための散水ボックス７３が組み付けられている。この散水ボックス７３には、上記電解水循環供給部８０の貯水タンク８１から延びる電解水供給ホース８３が接続される接続口７３Ａが形成されている。また、散水ボックス７３は、電解水供給ホース８３を通じて供給された電解水を一時的に貯留するトレー部材（不図示）を備え、このトレー部材の側面に複数の散水孔（不図示）が開口し、この散水孔から気液接触部材７１に対して電解水を滴下するようになっている。
また、気液接触部材７１の上面には、散水ボックス７３から滴下される電解水をエレメント部に効率よく分散させるため、分流シート（不図示）が配設されている。この分流シートは、液体の浸透性を有する繊維材料からなるシート（織物、不織布等）であり、気液接触部材７１の厚み方向断面に沿って一または複数設けられる。
水受皿７２は、気液接触部材７１から流下する電解水を一時的に貯留するために十分な深さ及び面積を有し、その底部には、除菌に使用された電解水を排水して電解水循環供給部８０の貯水タンク８１に戻す排水ホース８６が取り付けられている。
【００２５】
空気除菌部７０及びメイン給気ダクト３は、天井裏空間２８に配置されているため、見栄えの向上は図れるがメンテナンス作業の負担が増加する。特に、空気除菌装置１５０は、水を電気分解して電解水を生成し、この電解水を気液接触部材７１に供給するものである。このため、本実施形態では、メンテナンス作業の軽減を図るため、空気除菌装置１５０は、空気除菌部７０と、この空気除菌部７０に電解水を供給する電解水循環供給部８０とに区分けし、この電解水循環供給部８０を上記空気除菌部７０（チャンバ６０）の下方に位置する各室２０１の床２０５上に載置している。
電解水循環供給部８０は、図４に示すように、貯水タンク（水槽）８１と、この貯水タンク８１内の水を電気分解して電解水を生成する電解ユニット（電解水生成部）８２と、当該貯水タンク８１内の電解水を上記空気除菌部７０の気液接触部材７１にそれぞれ供給するための電解水供給ホース８３と、この電解水供給ホース８３上に設けられた送水ポンプ８４と、この送水ポンプ８４の下流側で上記電解水供給ホース８３から分岐して電解ユニット８２に接続される分岐ホース８５と、上記空気除菌部７０の水受皿７２に流下した電解水を貯水タンク８１に導く排水ホース８６とを備える。
【００２６】
本実施形態では、貯水タンク８１と電解ユニット８２と送水ポンプ８４とは１つの箱体８７に収容されている。貯水タンク８１には、この貯水タンク８１に市水（水道水）等を供給する給水管８８と、給水弁８９とが接続され、この給水弁８９は、貯水タンク８１内に設けられるフロートスイッチＦＳの動作に応じて開閉制御される。
また、貯水タンク８１の底部には、排水管９０と排水弁９１とが接続され、この排水弁９１は、貯水タンク８１内の電解水が濃縮して当該電解水中の硬度成分（例えばカルシウムイオンやマグネシウムイオン）の濃度が所定の基準値に至った場合に開放され、貯水タンク８１内の水が交換される。
ここで、給水管８８に接続されて、貯水タンク８１に水を供給する給水源は、市水（水道水）或いは給水槽等に貯留された水等のいずれであってもよい。この給水槽等に貯留される水とは、水道水等のように塩化物イオン等のイオン種が予め含有されている水であってもよいし、井戸水等の塩化物イオンの濃度の希薄な水を使う場合には、この水に塩化物イオンを添加して水道水相当に調整された水であってもよい。本実施形態では、これらを総称して水という。
【００２７】
電解ユニット８２は、図４に示すように、貯水タンク８１の側面に固定配置されている。具体的には、電解ユニット８２は、有底円筒形状のケース体８２Ａと、このケース体８２Ａ内に収納される少なくとも一対の電極９２、９３とを備え、これら電極９２、９３間に電圧を印加することにより、水を電気分解して活性酸素種を含む電解水を生成させる。
ここで、活性酸素種とは、通常の酸素よりも高い酸化活性を持つ酸素分子と、その関連物質のことであり、スーパーオキシドアニオン、一重項酸素、ヒドロキシルラジカル、或いは過酸化水素といった、いわゆる狭義の活性酸素に、オゾン、次亜ハロゲン酸等といった、いわゆる広義の活性酸素を含めたものとする。
【００２８】
電極９２、９３は、例えば、ベースがチタン（Ｔｉ）で皮膜層がイリジウム（Ｉｒ）、白金（Ｐｔ）から構成された２枚の電極板である。
上記電極９２、９３間に電圧を印加すると、カソード電極（陰極）では、下記式（１）に示すように反応する。
２Ｈ2Ｏ＋２ｅ-→Ｈ2＋２ＯＨ-    ・・・（１）
アノード電極（陽極）では、下記式（２）に示すように反応する。
２Ｈ2Ｏ→Ｏ2＋４Ｈ+＋４ｅ-    ・・・（２）
これらカソード電極及びアノード電極での反応を合わせると、下記式（３）に示すように水が電気分解される。
２Ｈ2Ｏ→２Ｈ2＋Ｏ2    ・・・（３）
この反応とともに、アノード電極においては、水に含まれる塩素イオン（塩化物イオン：Ｃｌ-）が下記式（４）に示すように反応し、塩素（Ｃｌ2）が発生する。
２Ｃｌ-→Ｃｌ2＋２ｅ-    ・・・（４）
さらに、この塩素は下記式（５）に示すように水と反応し、次亜塩素酸（ＨＣｌＯ）と塩化水素（ＨＣｌ）が発生する。
Ｃｌ2＋Ｈ2Ｏ→ＨＣｌＯ＋ＨＣｌ    ・・・（５）
【００２９】
アノード電極で発生した次亜塩素酸（広義の活性酸素種）は、強力な酸化作用や漂白作用を有する。次亜塩素酸が溶解した水溶液、すなわち電解ユニット８２により生成される電解水は、ウイルス等の不活化、殺菌、有機化合物の分解等、種々の空気清浄効果を発揮する。本構成では、貯水タンク８１内の水の一部は、送水ポンプ８４、分岐ホース８５を介して電解ユニット８２に流入し、この電解ユニット８２で電解水を生成して貯水タンク８１に貯留する。一方、送水ポンプ８４で送られた電解水の一部は、電解水供給ホース８３を流れ、散水ボックス７３を介して気液接触部材７１に滴下される。
この場合、給気ファン６５の運転により、給気口５から吸い込まれた屋外空気ＯＡ及び給気用グリル６から吸い込まれた室内空気ＲＡが気液接触部材７１において次亜塩素酸と接触する。これにより、空気中に浮遊するウイルス等が不活化されるとともに、当該空気に含まれる臭気物質が次亜塩素酸と反応して分解され、或いはイオン化して溶解する。従って、空気の除菌及び脱臭がなされ、清浄化（除菌）された空気が気液接触部材７１から排出され、この清浄化された空気は、メイン給気ダクト３及び分岐ダクト４を介して各室内機２に流れ、これら室内機２内でそれぞれ室内空気ＲＡと混合されて各室内に供給される。
【００３０】
活性酸素種によるウイルス等の不活化の作用機序として、インフルエンザウイルスの例を挙げる。上述した活性酸素種は、インフルエンザウイルスの感染に必須とされるウイルスの表面蛋白（スパイク）を破壊、消失（除去）する作用を有する。この表面蛋白が破壊された場合、インフルエンザウイルスと、インフルエンザウイルスが感染するのに必要な受容体（レセプタ）とが結合しなくなり、感染が阻止される。このため、空気中に浮遊するインフルエンザウイルスは、気液接触部材７１において活性酸素種を含む電解水に接触することにより、感染力を失うこととなり、感染が阻止される。
【００３１】
ここで、電解ユニット８２内の電極９２、９３のうち任意の側に正電位を与えるための電極の切り替えは、電極の極性を反転させることで行うことができ、本実施形態では電極９２、９３に印加する電圧を変化（反転）させることにより、実行可能である。
また、電解水中の活性酸素種の濃度は、除菌するウイルス等を不活化させる濃度となるように調整される。活性酸素種の濃度の調整は、電極９２、９３間に印加する電圧を調整して、電極９２、９３間に流す電流値を調整することにより行われる。例えば、電極９２に正の電位を与えて、電極９２、９３間に流れる電流値を、電流密度で２０ｍＡ（ミリアンペア）／ｃｍ2（平方センチメートル）とすると、所定の遊離残留塩素濃度（例えば１ｍｇ（ミリグラム）／ｌ（リットル））を発生させる。また、電極９２、９３間に印加する電圧を変更して、電流値を高くすることで、電解水中の次亜塩素酸の濃度を高い濃度に調整できる。
【００３２】
以上、本実施形態によれば、ビル２００内の部屋２０１の天井部に配置され、筐体２９内に送風機２２と室内熱交換器２１とを収容した室内機２を複数備え、これら室内機２を、屋外空気ＯＡもしくは室内空気ＲＡの少なくとも一方を当該室内機２に供給するメイン給気ダクト３に並列に接続し、このメイン給気ダクト３は室内機２の風上にチャンバ６０を備え、このチャンバ６０内に、水を電気分解して生成した電解水と屋外空気ＯＡもしくは室内空気ＲＡの少なくとも一方とを接触させて当該空気を除菌する空気除菌部７０を設けたため、この空気除菌部７０を通過する空気を集中して除菌することができ、この除菌した空気をメイン給気ダクト３を介して各室内機２に供給することができる。従って、簡単な構成で室内機２から吹き出す空気の清浄化を図ることができる。また、本実施形態では、メイン給気ダクトに設けたチャンバ６０内に空気除菌部７０を設けたため、この空気除菌部７０で清浄化および除菌された同質の空気を同時に各部屋に供給することができる。
【００３３】
また、本実施形態によれば、室内機２は、除菌された空気を筐体２９内における室内熱交換器２１の一次側に導く構成を備えたため、この室内熱交換器２１により当該空気を熱交換した後に室内空間に吹き出すことができる。
【００３４】
また、本実施形態によれば、水を電気分解して電解水を生成する電解ユニット８２と、電解水を貯留する貯水タンク８１と、この貯水タンク８１内の電解水を空気除菌部７０の気液接触部材７１に送るための送水ポンプ８４とを備え、これらを空気除菌部７０の下方に位置する室２０１内に設けたため、水が循環する各機器のメンテナンスを容易に行うことができる。さらに、これらの各機器は空気除菌部７０の下方に配置されているため、当該各機器と空気除菌部７０の気液接触部材７１との距離を短くすることができ、電解水供給ホース８３や排水ホース８６の引き回し作業を容易に行うことができる。
【００３５】
また、本実施形態によれば、電解ユニット８２、貯水タンク８１及び送水ポンプ８４を１つの箱体８７に収容し、この箱体８７を室２０１内の床２０５上に載置したため、これら電解ユニット８２、貯水タンク８１及び送水ポンプ８４をコンパクトに配置することができるとともにメンテナンスを一層容易に行うことができる。
【００３６】
また、本実施形態によれば、空気除菌部７０は、水平面に対して傾斜して配設された気液接触部材７１を備えたため、チャンバ６０の開口面積に対して気液接触部材７１における空気と電解水との接触面積を大きく確保することができ、当該空気の除菌効率を高めることができる。
【００３７】
また、本実施形態によれば、室内機２とメイン給気ダクト３とを接続する分岐ダクト４を備え、この分岐ダクト４にそれぞれブースタファン５１を備え、これらブースタファン５１の動作を当該分岐ダクト４に対応する室内機２の送風機２２と連動させたため、例えば、室内機２がサーモオフ状態にある場合には、送風機２２の停止動作に連動してブースタファン５１の運転が停止され、室内機２がサーモオンした場合には、送風機２２の運転動作に連動してブースタファン５１の運転が開始される。このため、各部屋２０１に除菌された空気を供給するか否かの制御を容易に行うことができる。
【００３８】
本実施形態では、水受皿７２で受けた水を排水ホース８６を通じて貯水タンク８１に戻す水循環方式を採用しており、少量の水を有効に利用することで、長時間にわたって効率よく空気の除菌を行うことができる。また、蒸発により貯水タンク８１内の水位が減少するので、フロートスイッチＦＳの動作によって給水弁８９が開いて給水口より水道水が適量供給される。このように、水を循環させることにより、水受皿７２で受けた水をそのまま排出する方式に比べて、水使用量を低減することができ、空気除菌装置１５０を運転する際のランニングコストの低減を図ることができる。
【００３９】
本実施形態では、室内機として、いわゆる「４方向カセット」について説明したが、これに限るものではなく、「２方向カセット」や「１方向カセット」に適用しても良いことは明らかである。
また、本実施形態では、メンテナンス作業の軽減を図るため、電解水循環供給部８０を床２０５上に配置する構成としたが、この電解水循環供給部を天井裏空間２８におけるチャンバ６０の近傍に配置する構成としても良い。この構成では、電解水循環供給部と空気除菌部７０との距離をより短くできるため、これらを接続する配管の引き回し作業がより容易となる。
【図面の簡単な説明】
【００４０】
【図１】本発明の実施形態における空気調和システムの概略構成を示す図である。
【図２】空気調和システムの配管構成図である。
【図３】室内機の側断面図である。
【図４】空気除菌装置の側断面図である。
【符号の説明】
【００４１】
１  室外機
２  室内機
３  メイン給気ダクト（給気ダクト）
４  分岐ダクト
１０  冷媒配管
２１  室内熱交換器（熱交換器）
２２  送風機
２３  室内機本体
２４  天井
２５  化粧パネル
２６  給気チャンバ
２８  天井裏空間
２９  筐体
４９  ブースタファン装置
５０  フィルタ
５１  ブースタファン（ファン）
６０  チャンバ
６５  給気ファン
７０  空気除菌部
７１  気液接触部材
７２  水受皿
７３  散水ボックス
７３Ａ  接続口
８０  電解水循環供給部
８１  貯水タンク（水槽）
８２  電解ユニット（電解水生成部）
８３  電解水供給ホース
８４  送水ポンプ
８５  分岐ホース
８６  排水ホース
８７  箱体
９２、９３  電極
１００  空気調和システム
１５０  空気除菌装置
２００  ビル
【図１】
2010019479.tif 000003
【図２】
2010019479.tif 000004
【図３】
2010019479.tif 000005
【図４】
2010019479.tif 000006